【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
異なる複数の色の色光を射出することによりカラー表示を行う表示装置であって、
前記複数の色に対応する複数の着色部を有するカラーフィルターを備え、
前記カラーフィルターが、透過光に対するピーク波長が４００〜４９０ｎｍとなる第１の色の分光特性と、透過光に対するピーク波長が４９０〜５２０ｎｍとなる第２の色の分光特性と、透過光に対するピーク波長が５２０〜５７０ｎｍとなる第３の色の分光特性と、透過光に対するピーク波長が６００ｎｍ以上となる第４の色の分光特性を有することを特徴とする表示装置。
【請求項２】
複数のピーク波長を持つ光を射出するバックライトを備え、
前記バックライトが、３つのピーク波長を含む光を射出することを特徴とする請求項１に記載の表示装置。
【請求項３】
前記バックライトが３色の発光ダイオードを備え、４６０ｎｍ、５４０ｎｍ、６４０ｎｍのピーク波長を含む光を射出することを特徴とする請求項２に記載の表示装置。
【請求項４】
前記バックライトが３色波長蛍光管を備え、４３５ｎｍ、５４５ｎｍ、６３０ｎｍのピーク波長を含む光を射出することを特徴とする請求項２に記載の表示装置。
【請求項５】
前記バックライトが３色の発光ダイオードを備え、４６５ｎｍ、５２０ｎｍ、６３５ｎｍのピーク波長を含む光を射出することを特徴とする請求項２に記載の表示装置。
【請求項６】
前記バックライトが３色波長蛍光管を備え、４３５ｎｍ、５４５ｎｍ、６１０ｎｍのピーク波長を含む光を射出することを特徴とする請求項２に記載の表示装置。
【請求項７】
異なる波長選択特性の色材層を有するカラーフィルターと、複数のピーク波長を持つ光を射出する有機エレクトロルミネッセンス装置とを備えたことを特徴とする請求項１に記載の表示装置。
【請求項８】
前記有機エレクトロルミネッセンス装置の発光部が白色の光を発光する白色発光層を有し、前記カラーフィルターの前記第１の色に対応する着色部、前記第２の色に対応する着色部、前記第３の色に対応する着色部、前記第４の色に対応する着色部のそれぞれと前記白色発光層との組み合わせで前記異なる複数の色の色光を得ることを特徴とする請求項７に記載の表示装置。
【請求項９】
前記有機エレクトロルミネッセンス装置の発光部が、赤色の光を発光する赤色発光層と緑色の光を発光する緑色発光層と青色の光を発光する青色発光層とを有し、前記カラーフィルターの前記第４の色に対応する着色部と前記発光部の赤色発光層との組み合わせ、前記カラーフィルターの前記第３の色に対応する着色部と前記発光部の緑色発光層との組み合わせ、前記カラーフィルターの前記第１の色に対応する着色部と前記発光部の青色発光層との組み合わせ、前記カラーフィルターの前記第２の色に対応する着色部と前記発光部の緑色発光層との組み合わせで前記異なる複数の色の色光を得ることを特徴とする請求項７に記載の表示装置。
【請求項１０】
請求項１ないし９のいずれか一項に記載の表示装置を備えたことを特徴とする電子機器。
【手続補正２】
【補正対象書類名】明細書
【補正対象項目名】０００８
【補正方法】変更
【補正の内容】
【０００８】
すなわち、本発明の表示装置は、異なる色の色光を射出することによりカラー表示を行う表示装置であって、赤、緑、青、シアンからなる４原色の色光の加法混色によって色再現を行うものであり、ｘｙ色度図において、赤の座標がｘ≧０．６４３（ｙは任意）、緑の座標がｙ≧０．６０６（ｘは任意）、青の座標がｙ≦０．０５６（ｘは任意）、シアンの座標がｘ≦０．１６４（ｙは任意）の範囲とすることができる。
詳細は具体例として後述するが、この構成によれば、この表示装置における色再現範囲がPointerGamutを含むことになるため、自然界に存在する色を忠実に再現することができ、画像の表現力をより高めることができる。
【手続補正３】
【補正対象書類名】明細書
【補正対象項目名】０００９
【補正方法】変更
【補正の内容】
【０００９】
また、本発明の表示装置は、異なる色の色光を射出することによりカラー表示を行う表示装置であって、赤、緑、青、シアンからなる４原色の色光の加法混色によって色再現を行うものであり、ｕ’ｖ’色度図において、赤の座標がｕ’≧０．４５０（ｖ’は任意）、緑の座標がｖ’≧０．５６９（ｕ’は任意）、青の座標がｖ’≦０．１４９（ｕ’は任意）、シアンの座標がｕ’≦０．０７６（ｖ’は任意）の範囲とすることができる。
上記の構成がｘｙ色度図で表現したものであるのに対し、本構成はｕ’ｖ’色度図で表現したものである。この構成においても、この表示装置における色再現範囲がPointerGamutを含むことになるため、自然界に存在する色を忠実に再現することができ、画像の表現力をより高めることができる。なお、本構成のｕ’ｖ’色度図における座標の上限または下限は、後述する５つの具体例から求めたものであり、上記のｘｙ色度図系で表現したときの上限または下限の値をそのままｕ’ｖ’色度図系に変換したものではない。
【手続補正４】
【補正対象書類名】明細書
【補正対象項目名】００１０
【補正方法】変更
【補正の内容】
【００１０】
本発明の表示装置は、異なる複数の色の色光を射出することによりカラー表示を行う表示装置であって、前記複数の色に対応する複数の着色部を有するカラーフィルターを備え、前記カラーフィルターが、透過光に対するピーク波長が４００〜４９０ｎｍとなる第１の色の分光特性と、透過光に対するピーク波長が４９０〜５２０ｎｍとなる第２の色の分光特性と、透過光に対するピーク波長が５２０〜５７０ｎｍとなる第３の色の分光特性と、透過光に対するピーク波長が６００ｎｍ以上となる第４の色の分光特性を有することを特徴とする。また、複数のピーク波長を持つ光を射出するバックライトを備え、前記バックライトが、３つのピーク波長を含む光を射出することを特徴とする。
この構成によれば、色再現範囲がPointerGamutを含むことになるため、自然界に存在する色を忠実に再現することができ、画像の表現力のより高い液晶表示装置を実現することができる。
【手続補正５】
【補正対象書類名】明細書
【補正対象項目名】００１１
【補正方法】変更
【補正の内容】
【００１１】
また、前記バックライトが３色の発光ダイオードを備え、４６０ｎｍ、５４０ｎｍ、６４０ｎｍのピーク波長を含む光を射出するものであれば良い。
【手続補正６】
【補正対象書類名】明細書
【補正対象項目名】００１２
【補正方法】変更
【補正の内容】
【００１２】
あるいは、前記バックライトが３色波長蛍光管を備え、４３５ｎｍ、５４５ｎｍ、６３０ｎｍのピーク波長を含む光を射出するものであれば良い。
【手続補正７】
【補正対象書類名】明細書
【補正対象項目名】００１３
【補正方法】変更
【補正の内容】
【００１３】
あるいは、前記バックライトが３色の発光ダイオードを備え、４６５ｎｍ、５２０ｎｍ、６３５ｎｍのピーク波長を含む光を射出するものであれば良い。
【手続補正８】
【補正対象書類名】明細書
【補正対象項目名】００１４
【補正方法】変更
【補正の内容】
【００１４】
あるいは、前記バックライトが３色波長蛍光管を備え、４３５ｎｍ、５４５ｎｍ、６１０ｎｍのピーク波長を含む光を射出するものであれば良い。
【手続補正９】
【補正対象書類名】明細書
【補正対象項目名】００１５
【補正方法】変更
【補正の内容】
【００１５】
また、本発明の表示装置は、異なる波長選択特性の色材層を有するカラーフィルターと、複数のピーク波長を持つ光を射出する有機エレクトロルミネッセンス装置とを備えたことを特徴とすることができる。さらに、前記有機エレクトロルミネッセンス装置の発光部が白色の光を発光する白色発光層を有し、前記カラーフィルターの前記第１の色に対応する着色部、前記第２の色に対応する着色部、前記第３の色に対応する着色部、前記第４の色に対応する着色部のそれぞれと前記白色発光層との組み合わせで前記異なる複数の色の色光を得ることを特徴とすることができる。あるいは、前記有機エレクトロルミネッセンス装置の発光部が、赤色の光を発光する赤色発光層と緑色の光を発光する緑色発光層と青色の光を発光する青色発光層とを有し、前記カラーフィルターの前記第４の色に対応する着色部と前記発光部の赤色発光層との組み合わせ、前記カラーフィルターの前記第３の色に対応する着色部と前記発光部の緑色発光層との組み合わせ、前記カラーフィルターの前記第１の色に対応する着色部と前記発光部の青色発光層との組み合わせ、前記カラーフィルターの前記第２の色に対応する着色部と前記発光部の緑色発光層との組み合わせで前記異なる複数の色の色光を得ることを特徴とすることができる。
この構成によれば、色再現範囲がPointerGamutを含むことになるため、自然界に存在する色を忠実に再現することができ、画像の表現力のより高い有機ＥＬ装置を実現することができる。